(57)【特許請求の範囲】
【請求項１】
上部が開口した飲料用容器本体と、該飲料用容器本体の上部開口部に被着され、内部に液通孔を有する栓本体と、該栓本体とヒンジにより連結され、前記液通孔を回動自在に開閉する蓋体を有する飲料用容器の栓体において、
前記蓋体の前記ヒンジの反対側外面には、左右の縦壁が設けられ、これら対をなす縦壁には前記ヒンジと略平行に配置されたロック部材用嵌合軸を設け、前記縦壁の外面には前記ロック部材用嵌合軸により軸支されるロック部材が設けられ、該ロック部材は左右のアーム部とこれらアーム部を連結する連結部とを有し、
前記ロック部材の前記アーム部内側にロック圧接部を設けると共に、前記縦壁外面にロック圧接係合部を設け、前記ロック部材を反ヒンジ側に回動させると前記ロック圧接部が前記ロック圧接係合部に圧接することで前記ロック部材が弾性変形し、該弾性変形したロック部材は初期位置に戻る弾性復元力を有しており、前記蓋体を閉める時、前記ロック部材が前記栓本体に設けられた栓本体係合部と接触することで前記ロック部材が回動され、該ロック部材が前記栓本体係合部を乗り越えた後にロック部材が弾性復元力により復位することで前記蓋体と前記栓本体の閉状態を保持することを特徴とする飲料用容器の栓体。
【請求項２】
前記ロック部材が、前記蓋体の外面に設けられた当接部に当接することで回動規制されることを特徴とする請求項１に記載の飲料用容器の栓体。
【請求項３】
前記蓋体の縦壁内部に、前記ロック部材の動きを規制する位置と規制しない位置に移動できる安全ストッパを設けたことを特徴とする請求項１又は２記載の飲料用容器の栓体。
【請求項４】
前記安全ストッパが前記ロック部材の動きを規制しない位置の方向に付勢されており、前記安全ストッパに設けられた係止部が、蓋体閉状態にあるときに栓本体に設けられた係止受部に係止することで、前記安全ストッパが前記ロック部材の動きを規制する位置に保持されることを特徴とする請求項３記載の飲料用容器の栓体。
【請求項５】
前記縦壁間の上部開放部が、前記ロック部材用嵌合軸により取り付けられるカバー部材によって閉塞されることを特徴とする請求項１〜４のいずれか１項に記載の飲料用容器の栓体。
【発明の詳細な説明】
【技術分野】
【０００１】
本発明は、蓋体をロックするロック部材を備えた飲料用容器の栓体に関する。
【背景技術】
【０００２】
従来、この種の飲料用容器の栓体において、ロック機構により蓋体の回動を規制する各種の方式（特許文献１〜６）が提案されている。
【０００３】
特許文献１〜６のものはいずれも蓋体をボタンにより閉状態に保持するもので、ボタンは常に蓋を閉状態に保持する方向へ付勢されているが、ボタンを押動することで蓋体を開状態とするためには、ボタンが押動されるための所定の押動隙間が必要となり、コンパクト化を阻害する。また、特許文献３〜６のものはバネなどの付勢手段を必要としており部品点数が多くなる。
【０００４】
また、特許文献５及び６のものは略Ｕ字形状から成るロック部材を用いており、このロック部材は回動自在に蓋体を閉状態に保持するものであるが、そのロック部材はボタンとは異なり、蓋体の閉動作で自動的に作動するものではないため、操作性に劣る面がある。
【０００５】
さらに、特許文献１のものはボタンで蓋体を閉状態に保持した後に、上下方向にスライドするスライド部材でボタン前面操作部を覆うことでボタンの押動操作を阻害し、スライド部材は常に押動操作を阻害するように付勢手段により付勢されているが、そのスライド部材では押動操作は阻害するが、ボタン自体の作動を阻害するものではないので、落下などの衝撃で意図せずにボタンが解除動作してしまう恐れがある。
【０００６】
さらに、特許文献２〜４のものではスライド動作するスライド部材でボタンの作動自体を阻害するもので、落下衝撃などでボタンが作動してしまうことを防止しているが、蓋体が開状態にあるときに意図せずにスライド部材を操作してしまい、ボタンの作動を阻害してしまうと、蓋体を閉状態にする際にボタンが作動せずに蓋体が閉まらないことがある。また、このボタンが作動せずに蓋体が閉まらない状態で無理に蓋体を閉状態にするように押し込むとボタンや蓋体が破損する恐れがある。また、特許文献５及び６のものでは略Ｕ字形状のロック部材により蓋体の回動規制をしているが、ロック部材の稼動距離が大きいため操作性が悪くなる。
【先行技術文献】
【特許文献】
【０００７】
【特許文献１】特開２００６−２９８４４９号公報
【特許文献２】特開２００９−２３７１２号公報
【特許文献３】特開２００８−２２２２３８号公報
【特許文献４】意匠登録第１２７７６３５号公報
【特許文献５】特許第４７９８５５３号公報
【特許文献６】特許第５０７３６３９号公報
【発明の概要】
【発明が解決しようとする課題】
【０００８】
解決しようとする課題は、ロック部材をコンパクト化し、誤操作による不具合を生じないロック機構を備えた飲料用容器の栓体を提供することである。
【課題を解決するための手段】
【０００９】
請求項１の飲料用容器の栓体は、上部が開口した飲料用容器本体と、該飲料用容器本体の上部開口部に被着され、内部に液通孔を有する栓本体と、該栓本体とヒンジにより連結され、前記液通孔を回動自在に開閉する蓋体を有する飲料用容器の栓体において、前記蓋体の前記ヒンジの反対側外面には、左右の縦壁が設けられ、これら対をなす縦壁には前記ヒンジと略平行に配置されたロック部材用嵌合軸を設け、前記縦壁の外面には前記ロック部材用嵌合軸により軸支されるロック部材が設けられ、該ロック部材は左右のアーム部とこれらアーム部を連結する連結部とを有し、前記ロック部材の前記アーム部内側にロック圧接部を設けると共に、前記縦壁外面にロック圧接係合部を設け、前記ロック部材を反ヒンジ側に回動させると前記ロック圧接部が前記ロック圧接係合部に圧接することで前記ロック部材が弾性変形し、該弾性変形したロック部材は初期位置に戻る弾性復元力を有しており、前記蓋体を閉める時、前記ロック部材が前記栓本体に設けられた栓本体係合部と接触することで前記ロック部材が回動され、該ロック部材が前記栓本体係合部を乗り越えた後にロック部材が弾性復元力により復位することで前記蓋体と前記栓本体の閉状態を保持することを特徴とする。
【００１０】
請求項２の飲料用容器の栓体は、前記ロック部材が、前記蓋体の外面に設けられた当接部に当接することで回動規制されることを特徴とする。
【００１１】
請求項３の飲料用容器の栓体は、前記蓋体の縦壁内部に、前記ロック部材の動きを規制する位置と規制しない位置に移動できる安全ストッパを設けたことを特徴とする。
【００１２】
請求項４の飲料用容器の栓体は、前記安全ストッパが前記ロック部材の動きを規制しない位置の方向に付勢されており、前記安全ストッパに設けられた係止部が、蓋体閉状態にあるときに栓本体に設けられた係止受部に係止することで、前記安全ストッパが前記ロック部材の動きを規制する位置に保持されることを特徴とする。
【００１３】
請求項５の飲料用容器の栓体は、前記縦壁間の上部開放部が、前記ロック部材用嵌合軸により取り付けられるカバー部材によって閉塞されることを特徴とする。
ことを特徴とする。
【発明の効果】
【００１４】
請求項１の構成によれば、ロック圧接部がロック圧接面係合部に圧接されることでロック部材が弾性変形し、ロック部材が初期位置に戻るように付勢されているので、バネなどの付勢手段が必要なくなり、部品点数を少なくすることができる。また、ロック部材の操作が押動操作ではなく、引動操作であるため栓体内に押動隙間が不要となり栓体を前後方向にコンパクト化できる。
【００１５】
請求項２の構成によれば、ロック部材が蓋体の外周面に設けられた当接部に当接して回動規制されることで、誤ってロック部材を強く引動してもロック圧接部がロック圧接係合部を乗り越えることがないので、ロック部材の弾性変形による初期位置への復元を確実にすることができる。
【００１６】
請求項３の構成によれば、縦壁内部には、前記ロック部材の動きを規制する位置と規制しない位置に移動できる安全ストッパを設けたことで、意図せずにロック部材によるロックが解除されてしまうことを防止できる。また、ロック部材内側のスペースを有効活用できる。
【００１７】
請求項４の構成によれば、安全ストッパがロック部材の動きを規制しない位置の方向に付勢されて、安全ストッパ係止部が栓本体係止受部に係止されることで、安全ストッパがロック部材の動きを規制する位置に保持されるため、蓋体が開状態にあるときには安全ストッパはロック部材の動きを規制する位置に保持できないので誤操作を防止できる。
【００１８】
請求項５の構成によれば、前記縦壁部間の上部開放部が、前記ロック部材嵌合軸により取り付けられるカバー部材によって閉塞するように構成することで、安全ストッパを上部開放部から容易に組立できると共に、カバー部材があることで付勢された安全ストッパが上部開口部から脱落することを防ぐことができる。また、カバー部材がロック部材嵌合軸により取り付けられることで複雑なカバー部材を蓋体に強固に嵌合させる嵌合部が不要となるため金型構造が簡素化でき、ロック部材と同工程で組立て出来るので生産性が良い。
【図面の簡単な説明】
【００１９】
【図１】本発明の実施例１を示す全体斜視図である。
【図２】同上、全体正面図である。
【図３】同上、全体側面図である。
【図４】同上、栓体の断面図である。
【図５】同上、安全ストッパを上昇した状態の栓体の断面図である。
【図６】同上、蓋体を僅かに開いた状態の栓体の断面図である。
【図７】同上、安全ストッパがロック状態の飲料用容器の上部の断面図である。
【図８】同上、蓋体を開いた状態の栓体の斜視図である。
【図９】同上、分解斜視図である。
【図１０】同上、中栓本体の斜視図である。
【図１１】同上、中栓本体の正面側の斜視図である。
【図１２】同上、中栓本体の平面図である。
【図１３】同上、外観カバーの底面図である。
【図１４】同上、外観カバー側係合部材の正面側の斜視図である。
【図１５】同上、外観カバー側係合部材の底面側の斜視図である。
【図１６】同上、外観カバー側係合部材を取り付ける前の外観カバー及び蓋体の斜視図である。
【図１７】同上、栓本体側係合部と係止受部の係合状態を示す斜視図である。
【図１８】同上、蓋体の分解斜視図である。
【図１９】同上、安全ストッパの斜視図である。
【図２０】同上、ロック部材の斜視図である。
【図２１】同上、縦壁周りの斜視図である。
【図２２】同上、ロック機構の要部の断面図である。
【図２３】同上、蓋体閉成状態のヒンジの断面図である。
【図２４】同上、クリック突起がクリック部を乗り越える途中のヒンジの断面図である。
【図２５】同上、蓋体の分解斜視図である。
【図２６】同上、栓体の斜視図である。
【図２７】同上、クリック受け部の正面図である。
【図２８】本発明の実施例２を示す説明図である。
【図２９】本発明の実施例３を示す説明図である。
【図３０】本発明の実施例４を示す説明図である。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２１】
以下、本発明を金属製二重断熱構造の飲料用容器の栓体に適用した実施例１を図１〜図２７に基づいて説明する。飲料用容器１は、金属製の容器本体２と、該容器本体２の上部開口部である開口端部２Ａに被着される合成樹脂製の栓体３とを備える。前記容器本体２は、内筒４と外筒５の開口端部２Ａの縁を一体に接合し、内筒４と外筒５との間の空間を真空の断熱層６となした断熱二重構造である。また、容器本体２の開口端部２Ａ側に位置する首部７は、内筒４及び外筒５の両者とも下部より大径に形成され、首部７において外筒５には開口端部２Ａ側に向ってテーパー状に拡大する拡大部５Ｋが形成され、この拡大部５Ｋより開口端部２Ａ側には、開口端部２Ａに向ってテーパー状に縮小する縮小部５Ｓが形成されている。
【００２２】
前記栓体３は、栓本体11と蓋体12を備える。また、前記栓本体11は、内部栓などと称される中栓本体13と外部栓などと称される外観カバー14とを備え、中栓本体13は外観カバー14の内側に着脱自在に配置される。また、前記蓋体12の後側が外観カバー14にヒンジたるヒンジ軸15により回動自在に連結されている。尚、それら栓本体11及び蓋体12は合成樹脂などからなる。
【００２３】
さらに、栓体３は、前記ヒンジ軸15の反対側（前側）に、蓋体12を外観カバー14に閉成状態で固定するロック部材16が設けられ、このロック部材16は蓋体12に設けられている。
【００２４】
前記中栓本体13は、上部前側に周壁21を上方へ突設して有底筒状に形成され、その有底筒状の中栓本体13の下部に、容器本体２への取付部22を一体に有する。前記中栓本体13の取付部22を容器本体２の開口端部２Ａ内に挿入し、前記取付部22の外周に形成された雄螺子部23を容器本体２の首部７の内周の雌螺子部24に螺合することにより、容器本体２の開口部に栓体３が取り付けられる。尚、雄螺子部23が外螺子、雌螺子部24が内螺子である。また、前記取付部22は中栓本体13の下部であり、中栓本体13と取付部22により、中栓を構成している。
【００２５】
前記中栓本体13の周壁21は、前側が略同一高さで後側より高く形成され、この略同一高さの部分が飲み口25であり、この飲み口25は中栓本体13の中心Ｓを通る略円弧状に形成され、図１２に示すように、平面視で飲み口25のなす円弧の角θは略１００度〜１４０度、この例では略１２０度である。
【００２６】
また、図１２に示したように、前記中栓本体13の底壁26は、ヒンジ軸15側から飲み口25側へ低くなるよう傾斜して前後方向が左右方向よりにやや長く形成され、その底壁26の上面は略平坦に形成されている。尚、図１２において上下方向に長い卵形の部分が平坦な底壁26である。そして、底壁26の低い方に液通孔27を穿設し、高い方に空気孔28を穿設し、該底壁26からその上部開口、すなわち飲み口25の間を液流路29としている。
【００２７】
また、前記取付部22は円筒状の筒状部31を有し、この筒状部31の中心が栓本体11の中心である。そして、筒状部31の外面に前記雄螺子部23が形成されている。
【００２８】
さらに、前記筒状部31の下部外周には、シール部材装着部32が形成され、このシール部材装着部32は、上鍔部32Ａと下鍔部32Ｂの間に凹溝部32Ｃを周設してなる。前記シール部材装着部32には環状のパッキン33が装着され、パッキン33の上面33Ａは前記上鍔部32Ａの下面に当接する。そして、シール部材装着部32に装着したパッキン33のシール部33Ｂが、前記雌螺子部24の下部で内側に突設する内筒４の段部34に密着する。尚、前記シール部33Ｂは突出した舌片状に形成され、このシール部33Ｂは全周に形成されている。また、内筒４は、前記段部34の上部に外側にテーパー状に拡大する拡大部４Ｋが形成され、首部７において拡大部４Ｋより上部（開口端部２Ａ側）は、拡大部４Ｋの下部より大径に形成されている。
【００２９】
また、前記周壁21は、反ヒンジ軸側である前側の前周壁部211の上縁が前記飲み口25であり、その飲み口25の上縁部211Ｆには凸状の湾曲縁部213が形成され、図６などに示すように、前記湾曲縁部213は、前記前周壁部211より前側に凸で湾曲状に形成されている。前記前周壁部211の高さ方向略中央及び左右方向中央には、前記外観カバー14の前側に係合する栓本体側係合部35が設けられている。この栓本体側係合部35は、前周壁部211の外周から前側に突設された突起状をなし、前後方向の左右縁部35Ｙ，35Ｙと、左右方向の前縁部35Ｍとを有し、前後寸法より左右寸法が大きく形成され、栓本体側係合部35の下面35Ｋは、略水平方向に形成され、即ち中栓本体13の中心線と略直交する面に形成されている。
【００３０】
また、図９及び図１１などに示すように、前記本体側係止部35の下面35Ｋに連続して、前周壁部211の左右には下向き面36，36が突出形成され、これら左右の下向き面36，36の左右両側36Ａ，36Ａは左右外側において上側に向って湾曲状に形成されている。さらに、前周壁部211には、前記栓本体側係合部35及び下向き面36の下方に、左右の係合部たる係合突条37，37を設け、これら左右の係合突条37，37は略水平方向に形成されている。そして、前記下向き面36と係合突条37，37の上面の間に外観カバー14が略係合する。
【００３１】
さらに、前周壁部211の左右端後方には左右周壁部212，212が設けられ、これら左右周壁部212，212は前側から後側に向って相互の間隔が狭まるように形成され、且つ左右周壁部212，212の上縁部212Ｆ，212Ｆは、前側から後側に向って低くなるように傾斜している。
【００３２】
図１０などに示すように、前記左右周壁部212，212の後端間には、外観カバー14に着脱自在に嵌合する栓本体側係合受部41が略水平に設けられ、この栓本体側係合受部41は、左右方向に長く形成された突条により構成され、その栓本体側係合受部41の後縁の上部中央には、前側から後側に低くなるように傾斜した傾斜部42が形成され、この傾斜部42の左右には上角部43を設けることにより縦方向の側面部44，44が形成されている。また、栓本体側係合受部41の左右には、外観カバー14に係合する係合角部45，45が設けられている。
【００３３】
前記周壁21の下部側は下方に向って縮径するように形成され、縮径した下部が底壁26に連結されると共に、底壁26が周壁21の下部が前記筒状部31の上部を塞ぐ上蓋体部46に連結され、底壁26は上蓋体部46より上方に位置する。そして、図１２に示すように、平面視において、前周壁部211は筒状部31の円弧の略上方に位置し、前記栓本体側係合受部41は筒状部31の後側と中心Ｓの間に位置している。
【００３４】
前記外観カバー14は、前記開口端部２Ａに外装する円筒部51と、この円筒部51の上部に設けた略平板状の上面部52とを一体に有し、円筒部51の前後の上側の一部と上面部52の一部を開口した蓋用開口部53を有し、この開口部53を前記蓋体12が開閉する。尚、この蓋体12の構成については後で詳述する。
【００３５】
前記開口部53は、円筒部51の前側（反ヒンジ側）の前開口部53Ｆと、前開口部53Ｆより左右幅狭に形成され、円筒部51の後側（ヒンジ側）の後開口部53Ｂと、前記上面部52に開口する上開口部53Ｊとからなり、この上開口部53Ｊがそれら前，後開口部53Ｆ，53Ｂを連結している。
【００３６】
前記前開口部53Ｆは、平面視において、前記飲み口25の範囲に対応して開口すると共に、組立て時に前記中栓本体13の栓本体側係合部35及び左右の下向き面36の下に沿うように開口しており、図１３などに示すように、前開口部53Ｆの縁に沿って後側（栓本体の内側）に内向き鍔部54を僅かに突設している。一方、この内向き鍔部54の内縁部54Ｆには、反ヒンジ側の左右方向中央に外観カバー側係合部55が形成され、外観カバー側係合部55に前記栓本体側係合部35が係合する。
【００３７】
前記外観カバー側係合部55は、前記内向き鍔部54の内縁部54Ｆに、外側（前側）に凹んだ凹部56を形成し、この凹部56の上面に、前記外観カバー側係合部55が内向き鍔部54の上面より一段低く凹設されており、外観カバー側係合部55には外側段差部55Ａと左右段差部55Ｂ，55Ｂと内縁部55Ｃが形成され、この内縁部55Ｃは前記内縁部54Ｆより外側に位置する。
【００３８】
そして、凹部56及び外観カバー側係合部55の左右幅は、前記栓本体側係合部35の左右幅に略対応し、栓本体側係合部35は下方から凹部56を通過することができ、外観カバー14に中栓本体13を組み付けた状態（以下、組付状態という）で、栓本体側係合部35が外観カバー側係合部55内に係入した状態で載置される。この載置状態で、前記内向き鍔部54が前記下向き面36と前記左右の係合突条37，37により上下から挟まれる。また、外観カバー側係合部55に前記栓本体側係合部35が係合すると、外観カバー側係合部55に対して前記栓本体側係合部35の左右方向も位置決めされる。
【００３９】
前記上開口部53Ｊの左右縁部は、前側（反ヒンジ側）から後側（ヒンジ側）に向って狭まるように内側に凸な曲線形状をなすと共に、後側では略平行になり、その上開口部53Ｊの左右縁部から左右の内壁部57，57が垂設されている。尚、左右の内壁部57，57の平面形状は上開口部53Ｊの左右縁部と略同一である。また、左右の内壁部57，57の前側下縁部58，58は、前記左右周壁部212，212の上縁部212Ｆ，212Ｆに対応して下部が湾曲状に切り欠かれており、前記組付状態で、前側下縁部58，58が前記上縁部212Ｆ，212Ｆに当接又は近接する。
【００４０】
さらに、前記前側下縁部58の後端には、位置決め部たる縦縁部59が設けられ、前記組付状態で、その縦縁部59が前記係合角部45に当接又は近接し、この当接又は近接により外観カバー14に対する中栓本体13の前後位置が位置決めされる。尚、中栓本体13の前側は、前周壁部211が前記内向き鍔部54に当接又は近接することにより、その前後位置が位置決めされる。
【００４１】
次に、前記栓本体側係合受部41と嵌合機構たる外観カバー側係合部材61について説明する。尚、前記栓本体側係合受部41と外観カバー側係合部材61により、中栓本体13と外観カバー14のヒンジ側を着脱可能に嵌合する嵌合手段を構成している。また、前記外観カバー側係合部55と前記栓本体側係合部35により、中栓本体13と外観カバー14の反ヒンジ側を着脱自在に係止する係止手段を構成している。尚、前記栓本体側係合受部41と外観カバー側係合部材61により、栓体３のヒンジ側の嵌合構造を構成している。
【００４２】
前記外観カバー14内の後部下部には、前記左右の内壁部57，57の間に、外観カバー側係合部材61を前後方向スライド可能に設ける凹部62が形成され、この凹部62の底部には前記左右の内壁部62Ｕ，62Ｕの下部を連結する底壁部63が設けられている。
【００４３】
そして、前記外観カバー側係合部材61は前記栓本体側係合受部41に着脱自在に嵌合し、それら外観カバー側係合部材61と栓本体側係合受部41により、外観カバー14と中栓本体13の後側が着脱可能に嵌合する。
【００４４】
図１４に示すように、前記外観カバー側係合部材61は、左右の縁が平行な部材本体64の前側上部に摘み状の操作部65を突設し、この操作部65は部材本体64の前面部66から前側に突出して設けられ、その操作部65の下面65Ｋが栓本体側係合受部41の上面に係合する。また、前記前面部66には、前記栓本体側係合受部41に係脱する係合部67が前方に突設されており、この係合部67は、前記栓本体側係合受部41に係止する係止面67Ａと、この係止面67Ａの前端から後側に向って低くなる傾斜の傾斜案内面67Ｂとを有し、この傾斜案内面67Ｂが前記栓本体側係合受部41の傾斜部42に係合する。尚、係合部67の左右幅は、前記傾斜部42と略等しく、傾斜案内面67Ｂが傾斜部42内に係合することにより、栓本体側係合受部41と係合部67の左右位置が位置決めされる。
【００４５】
また、前記部材本体64の左右縁上部には前後方向のガイド部64Ｍが形成され、ガイド部64Ｍは上部と左右側方が開口している。このガイド部64Ｍに対応して、前記凹部62の左右の内壁部62Ｕ，62Ｕに前後方向の突条からなるレール62Ｒ，62Ｒが設けられ、このレール62Ｒの下に前記ガイド部64Ｍが係合し、この係合状態で前記部材本体64の下面64Ｋが前記底壁部63の上面に摺動する。
【００４６】
また、前記部材本体64の下面64Ｋには後方が開口した本体凹部64Ｈが形成され、この本体凹部64Ｈの前面の左右方向中央に突起状の付勢手段取付部68を設け、この取付部68に付勢手段たる圧縮コイルスプリング69の前側を外嵌して取り付けている。さらに、部材本体64の下部左右には弾性係止部たる弾性爪片70，70が設けられ、この弾性爪片70は部材本体64の下面64Ｋの前側から後向きに突設され、弾性爪片70の後端は自由端となっており、弾性爪片70の後端下部に爪部71が設けられ、この爪部71は前面が係止部71Ａであり、この係止部71Ａの下端から後側に向って高くなるように傾斜した傾斜部71Ｂが設けられている。
【００４７】
図１３及び図１６に示すように、前記底壁部63の左右後方には、係止受部たる前後方向の係合溝63Ａ，63Ａが設けられ、この係合溝63Ａに前記爪部71が係入した状態で前記係合部材61が前後方向にスライドし、爪部71の係止部71Ａが係合溝63Ａの前縁に係止する前側位置まで係合部材61が移動可能である。この場合、レール62Ｒと底壁部63により上下から部材本体64が挟まれた状態で、係合部材61が前後に移動し、さらに、前側位置で爪部71の係止部71Ａが係合溝63Ａの前縁に係止するため、凹部62から係合部材61が外れることがない。また、凹部62には前記圧縮コイルスプリング69の後端が当接する後壁部62Ｂが設けられている。
【００４８】
前記中栓本体13を外観カバー14に取り付けた状態で、部材本体64と後壁部62Ｂに挟まれた前記圧縮コイルスプリング69は圧縮されており、ここから操作部65を後に押すと、圧縮コイルスプリング69がさらに圧縮されながら係合部材61が後退し、栓本体側係合受部41と係合部材61の嵌合を解除することができる。そして、この例では、前記係合溝63Ａは底壁部63を貫通する貫通孔として形成され、前記係合部材61の前後方向のスライドを許容する長さを有する。尚、係合溝63Ａの下部から、爪部71を上側に押すことにより、係合溝63Ａから爪部71を外してやれば、凹部62の前側から係合部材61を取り外すこともできる。
【００４９】
ここで、前記中栓本体13と外観カバー14の組み付け作業について説明する。略水平な外観カバー14に対して、栓本体側係合部35側が僅かに高くなるように中栓本体13を斜めにして外観カバー14の下側から外観カバー側係合部55の上に栓本体側係合部35を載置するように、外観カバー側係合部55内に栓本体側係合部35を係入する。この後、中栓本体13の後側を持ち上げると、外観カバー側係合部55を略中心として、中栓本体13の後側が上側に回転し、栓本体側係合受部41の傾斜面42が係合部材61の傾斜案内面67Ｂに当接し、さらに、上側に中栓本体13を回転すると、傾斜部42に押されて係合部材61が後退し、傾斜部42が傾斜案内面67Ｂを通過すると、圧縮コイルスプリング69の弾性復元力により係合部材61が前進し、栓本体側係合受部41が係合部材61の係合部67に係止した嵌合状態が得られ、外観カバー14に中栓本体13が固定状態で取り付けられる。尚、図４に示すように、嵌合状態で、栓本体側係合受部41は、操作部65と係合部67により上下から挟まれる。
【００５０】
一方、外観カバー14から中栓本体13を取り外すには、操作部65を用いて、係合部材61を嵌合解除方向である後側にスライドさせ、栓本体側係合受部41と係合部材61の係合部67との係止を解除し、取付時とは逆に、自重により中栓本体13の後側が下方に回動し、さらに、前側の栓本体側係合部35と外観カバー側係合部55との係止状態を解除して中栓本体13を取り外すことができる。
【００５１】
次に、前記蓋体12の構成について詳述する。前記蓋体12は、前記外観カバー14の開口部53を覆う蓋部72と、この蓋部72の下部に一体に組み込まれ前記中栓本体13内に遊挿される蓋下部73とを有する。前記蓋部72は、前記前開口部53Ｆと略同一形状の蓋前面部72Ｆと、前記上開口部53Ｊと略同一形状の蓋上面部72Ｊと、前記後開口部53Ｂの上部と略同一形状の蓋後面部72Ｂとを一体に有し、閉蓋時に、蓋前面部72Ｆが前開口部53Ｆを塞ぎ、蓋上面部72Ｊが上開口部53Ｊを塞ぎ、蓋後面部72Ｂが後開口部53Ｂの上部を塞ぐ。尚、蓋後面部72Ｂにより塞がれない後開口部53Ｂの下部は、蓋体12の開閉時に蓋後面部72Ｂが回動するためのスペースとなる。一方、図６及び図７などに示すように、蓋後面部72Ｂの前側には、蓋後面部72Ｂと間隔を置いて、蓋上面部72Ｊから下方に向って蓋内後面部172Ｂが垂設し、この蓋内後面部172Ｂは、図６に示すように、蓋体12の回動時に他の部材に当たらず、蓋体12の閉成状態で、図７に示すように、外観カバー14の部材側に蓋内後面部172Ｂの下端が近接し、後開口部53Ｂを略塞ぐことができる。
【００５２】
前記蓋下部73は前記蓋部72の下部に設けられ、蓋下部73の外周面73Ｇ及び底面には弾性体からなるシール部材74が着脱自在に設けられる。このシール部材74は、中栓本体13の底壁26に当接するシール本体76に、前記液通孔27を上方から密閉する流入側シール部77と、前記空気孔28を上方から密閉する空気孔シール部78を一体形成したものである。また、前記蓋下部73の外周面73Ｇは円筒状をなし、この円筒状の外周面73Ｇに取り付けたシール部材74の上端にはシール鍔部74Ｔが設けられ、このシール鍔部74Ｔを取り付ける溝状の取付部73Ｔが蓋下部73に周設されている。また、シール部材74の上縁には、外側に広がる外鍔部76Ｔが設けられている。
【００５３】
次に、栓本体11の外観カバー14に蓋体12を回動自在に連結するヒンジの詳細について説明する。
【００５４】
図１６などに示すように、前記蓋体12の後部には、前記ヒンジ軸15を装着する蓋体ヒンジ部81が設けられ、一方、前記外観カバー14の後側上部には、前記ヒンジ軸15を装着する栓本体ヒンジ部82が設けられている。尚、前記栓本体ヒンジ部82は、前記外観カバー14の後部左右の部分からなる。また、蓋内後面部172Ｂは前記ヒンジ軸15の下部から下方に向けって突設されている。
【００５５】
図２３及び図２４に示すように、前記栓本体ヒンジ部82には左右方向の栓本体側取付孔83が貫通形成され、この栓本体側取付孔83に対応して、前記蓋体ヒンジ部81に蓋側取付孔84が貫通形成されている。栓本体側取付孔83は、軸方向内側で前記ヒンジ軸15に係合する軸係合部83Ａと、軸方向外側で軸係合部83Ａより径大な径大部83Ｂとを有する。また、前記蓋側取付孔84は、軸方向中央の軸係合部84Ａと、この軸係合部84Ａの軸方向一側（左右方向一側）に設けられ該軸係合部84Ａより径方向に大きな収納部85とを有し、この収納部85は外側が開口する。
【００５６】
前記収納部85には、軸方向にスライド可能なスライド部材86が設けられ、このスライド部材86は略円筒状で、その外周はほぼ円柱面をなす。また、前記スライド部材86には前記ヒンジ軸15を遊挿する遊挿孔86Ａが貫通形成され、収納部85内においてヒンジ軸15の軸方向に対してスライド部材86はスライド可能に設けられている。また、スライド部材86と軸係合部84Ａとの間には付勢手段たる圧縮コイルスプリング87が設けられており、この圧縮コイルスプリング87によりスライド部材86は常時外側に付勢されている。尚、圧縮コイルスプリング87はヒンジ軸15に外装されている。
【００５７】
また、前記スライド部材86の外面には軸方向のリブからなるスライド部材側回転防止部88が設けられ、このスライド部材側回転防止部88に対応して、前記収納部85の内面に軸方向の溝からなる収納部側回転防止部89が設けられている。さらに、スライド部材86の外端面には、突起たるクリック突起90を設け、このクリック突起90に対応して、前記内壁部57の内面にクリック受部たる凹所91を設けている。
【００５８】
尚、図とは逆に、前記スライド部材86の外面に軸方向の溝からなるスライド部材側回転防止部を設け、このスライド部材側回転防止部に対応して、前記収納部85の内面に軸方向のリブからなる収納部側回転防止部を設けてもよい。
【００５９】
前記凹所91は、前記内壁部57の内面で前記軸本体側取付孔83の周囲に略リング状に形成され、その凹所91は開成位置凹所91Ａと、回動位置凹所91Ｂとを備え、それら開成位置凹所91Ａと回動位置凹所91Ｂとの間に凹みのないクリック部92が形成され、このクリック部92は内壁部57の外面と面一であり、凹所91より外側に出っ張っている。そして、前記開成位置凹所91Ａにクリック突起90が係合した状態で蓋体12が開成位置となり、図１６に示すように、開成位置で蓋体12の蓋上面部72Ｊは斜め下向きとなる。また、前記クリック突起90の先端は先端側が細くなるような形状、例えば半球面状に形成されている。そして、図２３に示すように、クリック突起90が栓本体11の内周面に摺動すると共に、軸方向他方では、蓋体ヒンジ部81の他方の外面81Ａが内壁部57の外面57Ａに摺動する。
【００６０】
従って、閉成状態の蓋体12を開成方向に回動すると、圧縮コイルスプリング87により外側に付勢された突起90の先端が回動位置凹所91Ｂを摺動し、さらに、突起90がクリック部92を乗り越えて開成位置凹所91Ａに係入し、クリック突起90がクリック部92を乗り越える際にクリック感が得られる。尚、回動位置凹所91Ｂは周方向においてクリック突起90の先端分に比べて大きく、即ち、クリック突起90が凹所91Ｂの当接する部分は凹所91Ｂより小さく、回動位置凹所91Ｂにクリック突起90が係入した状態で、蓋体12は前記後開口部53Ｂの底部53Ｔに当接する位置まで開成可能である。
【００６１】
そして、クリック突起90が開成位置凹所91Ａに係入した状態で、容器本体２を前側に傾けても、クリック突起90がクリック部92を乗り越えることができないため、蓋体12が開成状態に保持され、飲み口25の使用時に蓋体12が邪魔にならない。
【００６２】
次に、前記ロック部材16を備えたロック機構100の詳細について説明する。
【００６３】
ロック機構100は、外観カバー14に蓋体12を閉成状態で保持し、そのロック機構100は、前記外観カバー14の前側に栓本体係合部101を設け、この栓本体係合部101に前記ロック部材16が着脱自在に係止し、このロック部材16は前記蓋体12に設けられている。
【００６４】
前記栓本体係合部101は、前開口部53Ｆの外側中央に沿って設けた突起から形成されている。また、栓本体係合部101の中央には凹部102を形成し、凹部102により栓本体係合部101の突起部分が左右に分かれ、また、前記凹部102の上面に設けた下向き面103により係止受部を構成している。
【００６５】
図１８及び図２１などに示すように、前記蓋体12の反ヒンジ軸側に位置する蓋前面部72Ｆの外面には、縦壁たる左右の垂直壁105，105が設けられ、これら垂直壁105，105は前側に突設して設けられ、前後寸法より上下寸法が大きく形成されている。前記左右の垂直壁105，105に軸孔105Ｈ，105Ｈを穿設し、これら軸孔105Ｈ，105Ｈにロック部材用嵌合軸106を取り付け、この嵌合軸106の両端を左右の垂直壁105，105の外側に突出して配置する。尚、嵌合軸106は前記ヒンジ軸15と略平行に配置される。また、蓋前面部72Ｆには垂直壁105，105の間において平坦面72Ｈが形成されている。
【００６６】
前記ロック部材16は、平行な左右のアーム部111，111と、これらアーム部111，111の下端を連結する湾曲した連結部112とを一体に有し、合成樹脂などからなる。前記アーム部111の上端側には遊挿孔111Ｈが貫通形成され、左右の遊挿孔111Ｈ，111Ｈに前記嵌合軸106の両端を遊挿することにより、アーム部111の上端側が嵌合軸106に固定されることなく、略Ｕ字状のロック部材16が回動可能に連結される。前記左右のアーム部111，111の内側に突起状のロック圧接部113を設け、このロック圧接部113に対応して、前記左右の垂直壁105の外面に凹部状のロック圧接係合部107が設けられている。尚、ロック圧接部113はアーム部111の上下方向中央で、遊挿孔111Ｈと連結部112の間に位置する。
【００６７】
図２２などに示すように、ロック圧接係合部107にロック圧接部113が嵌入し、ロック圧接部113の前側には、後側から前側に向って外側に傾斜した外向き圧接面113Ａが設けられ、この外向き圧接面113Ａに対応して、前記ロック圧接係合部107に後側から前側に向って外側に傾斜した外向き圧接受面107Ａが設けられている。また、ロック部材16の連結部112の上縁が前記蓋本体係合部101の下部に係止する。
【００６８】
さらに、連結部112の後面には、上から下に向って前側に傾斜した指掛け部114が形成されている。また、連結部112の上面後側にはロック係合部115が設けられ、このロック係合部115は連結部112の前後方向厚さより薄く、そのロック係合部115の上縁部が前記栓本体係合部101に係止して蓋体12を閉める状態に保持する。また、ロック係合部115の前面115Ａには、後述する安全ストッパ121が係脱する。尚、前面115Ａは反ヒンジ軸側の面である。
【００６９】
そして、ロック部材16は、閉成位置で、そのアーム部111，111の内側が垂直壁105の外面に沿う形状に形成されている。ロック部材16のロック係合部115が前記蓋本体係合部101の下部に係止した状態で、指掛け部114に指を掛け、図７５の斜めの矢印Ｙに示すように、斜め前上方向に引き上げると、外向き圧接面113Ａが外向き圧接受面107Ａに圧接し、これにより図２２の一点鎖線に示すように、弾性変形によりアーム部111，111の上部間が開くと共にロック部材16が僅かに回動し、前記栓本体係合部101からロック係合部115が外れ、蓋体12を開くことができる。
【００７０】
前記栓本体係合部101からロック係合部115が外れ、栓本体係合部101がロック係合部115を通過すると同時に、ロック部材16の弾性復元力によってアーム部111，111が垂直壁105，105の外面に沿うように復帰する。尚、アーム部111，111の上部間が開いてから、ロック部材16が垂直壁105，105の外面に沿うように復帰するまでは、連続したワンアクションによりなされる。
【００７１】
一方、蓋体12を閉める際は、蓋体12を閉成方向に回動すると、栓本体係合部101の上部にロック部材16の指掛け部114が当接し、指掛け部114の傾斜に案内されて連結部112を前側に移動する力がロック部材16に加わり、アーム部111，111の上端間が開くようにロック部材16が弾性変形すると共に、ロック部材16が僅かに回動し、ロック部材16のロック係合部115が栓本体係合部101を通過し、この通過により該栓本体係合部101にロック部材16のロック係合部115の上縁が係止すると共に、弾性復元力によりロック部材16が復位し、蓋体12が栓本体11の外観カバー14に閉状態で保持される。これらの動作は連続したワンアクションによりなされる。
【００７２】
また、ロック部材16は、連結部112を前側に移動するように回動すると、少なくとも、ロック圧接部113がロック圧接係合部107から外れる前に、嵌合軸106位置より上部においてアーム部111の後面が蓋体12の外面に当接し、ロック部材16の回動範囲が規制されるように構成しており、蓋体12において前記アーム部111の後面が当接する部分が当接部108である。
【００７３】
次に、ロック部材16のロック係合部115の上縁が前記栓本体係合部101の下部に係止した状態で、ロック部材16の回動を規制し、係止状態を保持する安全ストッパ121について詳述する。
【００７４】
図１９などに示すように、安全ストッパ121は、左右のアーム部111，111の間隔に対応した左右幅を有する略矩形の前面板122を備え、この前面板122は、その後面が前記左右の垂直壁105，105の前縁に沿って昇降する。そして、前面板122の後面下部が前記ロック係合部115の前面115Ａに位置することにより、ロック部材16の前側への回動を規制し、ロック係合部115を栓本体係合部101から外すことができなくなる。即ち、ロック部材16を回動しようとすると、前面板122の後面下部に係合部115の前面115Ａが当たり、回動することができず、その前面板122の後面下部がロック部材16の回動を規制する規制部123である。
【００７５】
安全ストッパ121を昇降する昇降機構124として、前記左右の垂直壁105，105の内側にレール109，109を縦設し、これら左右のレール109，109に摺動するガイド溝125，125を安全ストッパ121に設けている。具体的には、前面板122の後面の左右に間隔をおいて突出部126，126を設け、これら突出部126，126の外側に、前記ガイド溝125，125を縦設している。また、前記左右の突出部126，126には下面部127，127を設け、この下面部127に下向き筒部128を突設し、この下向き筒部128に付勢手段たる圧縮コイルスプリング129の上端を装着している。一方、図２１に示すように、蓋体12の前部には、前記平坦面72Ｈ及び垂直壁105と一体に底壁部110を設け、この底壁部110に上向き筒部128Ａを突設し、この上向き筒部128Ａに前記圧縮コイルスプリング129の下端を装着する。
【００７６】
前記前面板122の後面中央には、弾性係止部たる弾性爪片131が設けられている。この弾性爪片131は、前後方向の横片部132Ｙの後部に下向きの縦片部132Ｔを設け、この縦片部132Ｔの後端後部に係止部たる爪部133を設け、この爪部133は前記下向き面103に係止する斜めの規制係止部133Ａと、この係止部133Ａ位置より先端側に設けられた斜めの案内部133Ｂとが形成されている。そして、規制係止部133Ａが後側に向って低くなるように傾斜した面であり、案内部133Ｂは後側に向って高くなるように傾斜した面であり、水平に対する角度は前記規制係止部133Ａに比べて案内部133Ｂが大きい。
【００７７】
そして、図４に示すように、爪部133の規制係止部133Ａが下向き係合面103に係止した位置で、安全ストッパ121の規制部123が前記ロック部材16のロック係合部115の前方に位置し、この位置がロック部材16の動きを規制する位置である。一方、この規制位置から安全ストッパ121を上側に移動し、爪部133と下向き係合面103との係止が解除された位置で、前記ロック部材16が回動可能となる。尚、ロック部材16の前面板122の上部外面には、左右方向に操作部130が前方に膨出形成されている。
【００７８】
図１８などに示すように、前記安全ストッパ121を垂直壁105，105間に装着した後、前記嵌合軸106に装着するカバー部材135を備える。尚、少なくとも安全ストッパ121がカバー部材135に当たる位置でロック部材16の回動規制は解除されている。カバー部材135は前記左右の垂直壁105，105間に挿入可能な左右幅を有する。また、カバー部材135には前記嵌合軸106を挿通する挿通孔136が穿設され、カバー部材135の前上角部には湾曲面135Ｗが形成され、この湾曲面135Ｗは前記垂直壁105の前上角部の湾曲面105Ｗと略同一に形成されている。尚、図１８に示すように、カバー部材135の後面135Ｂは平坦面に形成され、蓋体12の垂直壁105，105間の平坦面72Ｈに係合して回り止め状態で取り付けられる。
【００７９】
前記ロック機構100の製造においては、上方から安全ストッパ121を垂直壁105，105の間に挿入すると共に、安全ストッパ121と底壁部110との間に圧縮コイルスプリング129を配置し、この後、上方からカバー部材135を垂直壁105，105の間に挿入すると共に、左右の垂直壁105，105を挟むようにロック部材16を配置し、ロック部材16の遊挿孔111Ｈと垂直壁105の軸孔105Ｈとカバー部材135の挿通孔136に嵌合軸106を挿入配置することにより、蓋体12に安全ストッパ121とカバー部材135とロック部材16が取り付けられる。つまり安全ストッパ121の抜け止めを担うカバー部材135と、ロック部材16の取り付けを嵌合軸106のみで行うことができる。
【００８０】
そして、安全ストッパ121を押下げると、圧縮コイルスプリング129が圧縮されると共に、弾性爪片131が弾性変形して外観カバー14の下向き面103に弾性爪片131の規制係止部133Ａが係止する。これにより安全ストッパ121が固定され、安全ストッパ121の規制部123がロック係合部115の前方に位置し、ロック部材16の動きが規制され、ロック機構100によるロックがなせれる。
【００８１】
一方、操作部130を用いて安全ストッパ121を押し上げると、弾性爪片131が弾性変形して下向き面103から爪部133が外れ、圧縮コイルスプリング129の付勢により安全ストッパ121が上昇し、カバー部材135に当接して停止し、安全ストッパ121がロック部材16の動きを規制しない位置に保持される（図５）。このため誤って安全ストッパ121がロック部材16の動きを規制することがない。
【００８２】
安全ストッパ121を昇降して爪部133を下向き面103に係脱する場合、水平に対する角度が規制係止部133Ａに比べて案内部133Ｂが大きいため、安全ストッパ121を下げる際は、案内部133Ｂによりスムーズに爪部133が下向き面103に係止し、且つ確実に係止し、一方、安全ストッパ121を上げる際には、下げる場合よりも、抵抗が大きく、所定のクリック感が得られる。
【００８３】
次に、前記飲料用容器の使用方法について説明する。容器本体２内に飲料を入れる際には、栓体３を回転し、容器本体２の雌螺子部24から栓本体11の中栓本体13の雄螺子部23を外すことにより、容器本体２から栓本体11を取り外し、大きく開いた上部開口端２Ａから内部に飲料を入れることができる。飲料を入れた後、容器本体２の雌螺子部24に栓本体11の中栓本体13の雄螺子部23を螺合することにより、容器本体２に栓体３を取り付けることができる。
【００８４】
したがって、外観カバー14のみを容器本体２に取り付けることはできず、中栓本体13を取付忘れを防止できる。また、取付状態で、図７に示したように、円筒部51の下縁部51Ｆが容器本体２の縮小部５Ｓに当接して開口端部２Ａ下部の外側を円筒部51が覆い、この当接状態で、後側は、前記凹部62の後壁部62Ｂ後方の上面部62Ｊの下面と、開口端部２Ａとの間には隙間52Ｓが形成され、前側は、外観カバー側係合部55などと開口端部２Ａとの間に隙間が形成され、このように開口端部２Ａは外観カバー14には接触していない。尚、その上面部62Ｊの後部上面に前記後開口部53Ｂの底部53Ｔが設けられている。
【００８５】
閉成状態の蓋体12は、ロック機構100によりロックすることにより、誤って開くことがなく、開く場合は、操作部130により安全ストッパ121を上方に移動し、係止受部たる下向き面103と係止部たる爪部133の係止を解除する。
【００８６】
この解除によりロック部材16が操作可能となり、図７５に示すように、指掛け部114に指を掛け、ロック部材16の連結部112を斜め前上方向に引き上げると、ロック部材16の左右のアーム部111，111間が僅かに開くように弾性変形し、栓本体係合部101の下からロック部材16のロック係合部115が外れ、簡単に蓋体12を開くことができる。したがって、従来のシーソー式のロック部材のように押すなど操作が不要となり、ロック部材16を手前に引いて持ち上げるという操作により簡便に蓋体12を開くことができる。しかも、栓体３にはロック部材を押す操作に必要なスペースが不要となる。
【００８７】
さらに、蓋体12を開くと、クリック突起90がクリック部92を乗り越える際にクリック感が得られ、開成位置凹所91Ａにクリック突起90が係合し、蓋体12が全開となる。蓋体12を開くと、図８に示すように、飲み口25が大きく現れ、この飲み口25に口をつけて内部の飲料を飲んだり、飲み口25から飲料を他の容器に注いだりすることができる。この場合、開成位置凹所91Ａにクリック突起90が係合しており、蓋体12が開成位置に保持されるため、飲んだり、注いだりする際に蓋体12が閉まることなく、蓋体12が邪魔になることがない。この場合、少なくとも、蓋体12の自重ではクリック突起90がクリック部92を乗り越えることがないように、圧縮コイルスプリング87の付勢力を設定している。
【００８８】
一方、閉成位置の蓋体12を閉める方向に回動し、蓋体12を閉める方向に所定以上の力を加えると、クリック部92をクリック突起90が乗り越えることができる。蓋体12を開いた状態では、図６に示すように、安全ストッパ121は圧縮コイルスプリング129により上方に位置する。この位置はロック部材16の動きを規制しない位置であり、図６の位置から蓋体12を下方に回動すると、栓本体係合部101に連結部112の後面が当接し、連結部112が前側に移動するようにロック部材16が回動し、連結部112が栓本体係合部101が通過すると、栓本体係合部101の下にロック係合部115が係止する。この場合も、蓋体12を開く際と同様に、ロック部材16は、前記通過時にアーム部111，111が開くように弾性変形し、通過後、弾性復元力により復帰し、これらの動作は連続したワンアクションにより行われる。
【００８９】
このようにして栓本体係合部101にロック係合部115が係止した後、安全ストッパ121を下げ、下向き面103に爪部133の係止すると、安全ストッパ121の規制部123がロック係合部115の前に位置し、この位置が安全ストッパ121によりロック部材16の動作を規制する位置であり、ロック部材16に接触してもロックが解除されることがない。このように安全ストッパ121は蓋体12が閉成位置にある場合のみにロック部材16の動作を規制する位置に保持されるものであり、開成位置の蓋体12を閉める際には安全ストッパ121はロック部材16の作動を規制する位置に保持できないため、誤操作を防止できる。
【００９０】
栓体３を洗浄する際には、容器本体２から栓体３を取り外し、蓋体12を開くと、図８に示すように、外観カバー14内の後部に、外観カバー側係合部材61の操作部65が現れる。この操作部65は、外観カバー14の上面部52から離れた内部にあり、通常の使用では操作部65に接触することはない。一方、分解する際は、操作部65を略水平方向で後側に押してやれば、外観カバー側係合部材61の係合部67から、中栓本体13の栓本体側係合受部41が外れ、中栓本体13の前側が係合した状態で、この係合箇所を中心に中栓本体13の後側を回動するようにして外観カバー14内から中栓本体13を取り外すことができる。
【００９１】
このようにして取り外した中栓本体13には、係合部材61などの可動部分がないため、洗浄し易いものとなる。また、中栓本体13の前側も、凹みではなく、突起状の栓本体側係合部35が設けられているから、洗浄し易い。
【００９２】
また、分解して洗浄した後は、外観カバー14の下側から外観カバー側係合部55の上に栓本体側係合部35を載置するように、外観カバー側係合部55内に栓本体側係合部35を係入し、外観カバー側係合部55を略中心として、中栓本体13の後側が上側に回転すると、栓本体側係合受部41の傾斜面42が係合部材61の傾斜案内面67Ｂに当接し、係合部材61が後退し、傾斜部42が傾斜案内面67Ｂを通過すると、圧縮コイルスプリング69の弾性復元力により係合部材61が前進し、栓本体側係合受部41が係合部材61の係合部67に係止した嵌合状態が得られ、外観カバー14に中栓本体13を簡便に取り付けることができる。
【００９３】
このように本実施例では、請求項１に対応して、上部が開口した飲料用容器本体２と、該飲料用容器本体２の上部開口部たる開口端部２Ａに被着され、内部に液通孔27を有する栓本体11と、該栓本体11とヒンジたるヒンジ軸15により連結され、液通孔27を回動自在に開閉する蓋体12を有する飲料用容器の栓体において、蓋体12のヒンジ軸15の反対側外面には、左右の縦壁たる垂直壁105，105が設けられ、これら対をなす垂直壁105，105にはヒンジ軸15と略平行に配置されたロック部材用嵌合軸106を設け、垂直壁105の外面にはロック部材用嵌合軸106により軸支されるロック部材16が設けられ、該ロック部材16は左右のアーム部111，111とこれらアーム部111，111を連結する連結部112とを有し、ロック部材16のアーム部111の内側にロック圧接部113を設けると共に、前記垂直壁105外面にロック圧接係合部107を設け、ロック部材16を反ヒンジ側に回動させるとロック圧接部113がロック圧接係合部107に圧接することでロック部材16が弾性変形し、該弾性変形したロック部材16は初期位置に戻る弾性復元力を有しており、蓋体12を閉める時、ロック部材16が栓本体11に設けられた栓本体係合部101と接触することでロック部材16が回動され、該ロック部材16が前記栓本体係合部101を乗り越えた後にロック部材16が弾性復元力により復位することで蓋体12と栓本体11の閉状態を保持するから、ロック圧接部113がロック圧接係合部107に圧接されることでロック部材16が弾性変形し、ロック部材16が初期位置に戻るように付勢されているので、バネなどの付勢手段が必要なくなり、部品点数を少なくすることができる。また、ロック部材16の操作が押動操作ではなく、引動操作であるため栓体３内に押動隙間が不要となり栓体３を前後方向にコンパクト化できる。
【００９４】
この場合、外向き圧接面113Ａと外向き圧接受面107Ａが案内傾斜部であり、これら案内傾斜部は後側から前側に向って外側に傾斜し、その角度は前後方向に対して４５度未満、好ましくは５〜３０度程度である。
【００９５】
また、このように本実施例では、請求項２に対応して、ロック部材16が、蓋体12の外面に設けられた当接部108に当接することで回動規制されるから、誤ってロック部材16を強く引動してもロック圧接部113がロック圧接係合部107を乗り越えることがないので、ロック部材16の弾性変形による初期位置への復元を確実にすることができる。
【００９６】
また、このように本実施例では、請求項３に対応して、縦壁たる垂直壁105内部には、ロック部材16の動きを規制する位置と規制しない位置に移動できる安全ストッパ121を設けたから、意図せずにロック部材16によるロックが解除されてしまうことを防止できる。
【００９７】
また、このように本実施例では、請求項４に対応して、安全ストッパ121がロック部材16の動きを規制しない位置の方向である上方に付勢されており、安全ストッパ121に設けられた係止部たる爪部133が、蓋体閉状態にあるときに栓本体に設けられた係止受部たる下向き面103に係止することで、安全ストッパ121がロック部材16の動きを規制する位置である下部に保持されるから、安全ストッパ121がロック部材16の動きを規制しない位置の方向に付勢されて、安全ストッパ121の爪部133が栓本体11の下向き面103に係止されることで、安全ストッパ121がロック部材16の動きを規制する位置に保持されるため、蓋体12が開状態にあるときには安全ストッパ121はロック部材16の動きを規制する位置に保持できないので誤操作を防止できる。
【００９８】
また、このように本実施例では、請求項５に対応して、縦壁たる垂直壁105，105間の上部開放部が、ロック部材用嵌合軸106により取り付けられるカバー部材135によって閉塞されるから、安全ストッパ121を上部開放部から容易に組立できると共に、カバー部材135があることで付勢された安全ストッパ121が上部開口部から脱落することを防ぐことができる。また、カバー部材135がロック部材用嵌合軸106により取り付けられることで複雑なカバー部材135を蓋体12に強固に嵌合させる嵌合部が不要となるため金型構造が簡素化でき、ロック部材と同工程で組立て出来るので生産性が良い。
【００９９】
また、実施例上の効果として、ロック部材が係脱する栓本体係合部101の間に、安全ストッパ121の爪部133が係脱する下向き面103を設けたから、栓本体係合部101と下向き面103を並べてコンパクトに配置することができる。また、アーム部111に遊挿孔111Ｈを貫通形成し、この遊挿孔111Ｈ，111Ｈに嵌合軸106の両端を遊挿することにより、ロック部材16が回動可能に連結することができると共に、アーム部111，111の上端間をスムーズに開くことができる。さらに、ロック圧接部113はアーム部111の上下方向中央で、遊挿孔111Ｈと連結部112の間に位置し、好ましくは、ロック圧接部113が遊挿孔111Ｈ側に配置したから、ロック部材16の回動に伴うロック圧接係合部107とロック圧接部113の係合により、アーム部111，111の上端間をスムーズに開くことができる。また、傾斜した指掛け部114が、栓本体係合部101に係合する際の案内も兼用する。さらに、安全ストッパ121の上面が垂直壁105の前面と略面一となるため、部分的な出っ張りがない。また、昇降機構124を構成する左右の垂直壁105，105の内側に設けたレール109，109と、安全ストッパ121のガイド溝125，125との係合により、安全ストッパ121を垂直壁105，105間に抜け止め状態にして昇降可能に組み込むことができる。さらに、左右方向中央に弾性爪片131を設け、この弾性爪片131の両側に圧縮コイルスプリング129を配置したから、両側のコイルスプリング129，129により安全ストッパ121を均一に上方に付勢することができる。また、カバー部材135の湾曲面135Ｗは前記垂直壁105の前上角部の湾曲面105Ｗと略同一に形成されているから、取付時にカバー部材135と垂直壁105との一体感が得られる。さらに、爪部133は、水平に対する角度が規制係止部133Ａに比べて案内部133Ｂが大きいため、下向き面103との係脱をスムーズ且つ所定のクリック感を伴って行うことができる。
【０１００】
以下、栓体ヒンジ構造における実施例上の効果として、上部が開口した飲料用容器本体２と、該飲料用容器本体２の上部開口部たる開口端部２Ａに被着され、内部に液通孔27を有する栓本体11と、該栓本体11とヒンジ軸15により回動自在に連結され、液通孔27を開閉する蓋体12とを有する飲料用容器１の栓体ヒンジ構造において、蓋体12の蓋体ヒンジ部81と栓本体11の栓本体ヒンジ部82をヒンジ軸15により連結し、蓋体ヒンジ部81と栓本体ヒンジ部82の一方である蓋体ヒンジ部81に収納部85を備え、該収納部85には、ヒンジ軸15と同軸に設けられ、該ヒンジ軸15の軸方向にスライド可能に設けたスライド部材86と、該スライド部材86を前記軸方向に付勢する付勢手段たる圧縮コイルスプリング87とを設け、スライド部材86が圧縮コイルスプリング87により栓本体ヒンジ部82に圧接されるから、蓋体ヒンジ部81、もしくは栓本体ヒンジ部82のどちらか一方の収納部85に収められたスライド部材86を、弾性部材である圧縮コイルスプリング87を用いて収納部85を有しない他方のヒンジ部に圧接させることで安定した弾性を得ることが出来ると共に、これらの構造をユニット化せずにヒンジ内部に収納することでコンパクト化を図ることが出来る。また、その他のロック機構などに制限を与えない上、外観から本構造が見えない為、栓体３の意匠自由度を阻害することがない。
【０１０１】
また、スライド部材86、もしくは蓋体ヒンジ部81と栓本体ヒンジ部82の他方である栓本体ヒンジ部82のどちらか一方であるスライド部材86にクリック突起90を設けると共に、どちらか他方である栓本体ヒンジ部82にクリック突起90に対応するクリック受部たる凹所91を設けたから、スライド部材86、もしくは収納部85を有しない他方のヒンジ部のどちらか一方にクリック突起90を設け、他方にクリック突起90に対応するクリック受部たる凹所91を設けることで蓋体12を開いた状態で確実に係止でき、飲料を飲む際に飲料用容器１を傾けても蓋体12が落ちてこない。
【０１０２】
また、スライド部材86の外側面にスライド部材側回転防止部88を設け、該スライド部材側回転防止部88に係合してスライド部材86を回り止めする収納部側回転防止部89を収納部85に設けたから、スライド部材86のスライド動作が確実になり、係止が安定する。
【０１０３】
以下、実施例上の効果として、蓋体ヒンジ部81にヒンジ軸15を取り付ける蓋側取付孔84を設けることにより、蓋体ヒンジ部81の外側は円筒部51と上面部52により構成され、ヒンジ軸15の取り付けのために、ヒンジ軸取付孔を有する突出部などを設ける必要がなく、強度的に優れると共に、外観意匠性に優れたものとなる。さらに、栓本体ヒンジ部82は左右に分かれているため、スペースが取り難い面があるのに対して、蓋ヒンジ部81に収納部85を設けたから、スライド部材86の組み込みを簡便に行うことができる。
【実施例２】
【０１０４】
図２８は、本発明の実施例２を示し、上記実施例１と同一部分に同一符号を付し、その詳細な説明を省略して詳述する。この例では、蓋体ヒンジ部81と栓本体ヒンジ部82の一方が栓本体ヒンジ部82であり、この栓本体ヒンジ部82に収納部85を設け、この収納部85に、クリック突起90を有するスライド部材86を設けており、上記実施例１と同様な作用・効果を奏する。
【実施例３】
【０１０５】
図２９は、本発明の実施例３を示し、上記各実施例と同一部分に同一符号を付し、その詳細な説明を省略して詳述する。この例では、上記実施例１において、スライド部材86の外端面にクリック受部たる凹所91を設け、この凹所91に対応して、前記栓本体ヒンジ部82の内壁部57の内面にクリック突起90を設けている。
【０１０６】
このように本実施例では、スライド部材86、もしくは蓋体ヒンジ部81と栓本体ヒンジ部82の他方である栓本体ヒンジ部82のどちらか一方である栓本体ヒンジ部82にクリック突起90を設けると共に、どちらか他方であるスライド部材86にクリック突起90に対応するクリック受部たる凹所91を設けたから、上記各実施例と同様な作用・効果を奏する。
【実施例４】
【０１０７】
図３０は、本発明の実施例４を示し、上記各実施例と同一部分に同一符号を付し、その詳細な説明を省略して詳述する。この例では、蓋体ヒンジ部81と栓本体ヒンジ部82の一方が栓本体ヒンジ部82であり、この栓本体ヒンジ部82に収納部85を設け、この収納部85に、クリック受部たる凹所91を有するスライド部材86を設け、スライド部材86、もしくは蓋体ヒンジ部81と栓本体ヒンジ部82の他方のどちらか一方である蓋体ヒンジ部81にクリック突起90を設けたから、上記各実施例と同様な作用・効果を奏する。
【０１０８】
尚、本発明は以上の実施例に限定されるものではなく、発明の要旨の範囲内で種々の変形実施が可能である。例えば、実施例では、垂直壁の外面に凹部状のロック圧接係合部を設けたが、ロック圧接係合部を垂直壁の外面から突出する突起状にしてもよい。また、ロック部材は合成樹脂製以外でも所定の弾性復元力が得られるものでは金属など各種の材質のものを用いることができる。さらに、請求項には対応しないが、栓本体の外観カバーに上下を反転してロック部材を取り付け、栓本体係合部101に替えて蓋体に蓋体係合部を設け、この蓋体係合部にロック部材が着脱自在に係止するように構成してもよい。また、収納部は軸方向のいずれか一側に設ければよく、収納部を軸方向の両側に設けてもよい。また、ヒンジ軸は、軸係合部83Ａ，84Ａの一方に固定、他方に回動可能に設ければよい。さらには、収納部及びスライド部材を複数設ける場合は、例えば、図２３において、図右側の栓本体ヒンジ部に収納部及びスライド部材を配置するなどすることができ、それらの配置は適宜選定可能であり、さらに、それらの場合においてクリック突起とクリック受部の配置を適宜組み合わせて選定することができる。また、実施例では、クリック突起より大きな回動位置凹部を例示したが、この回動位置凹部をクリック突起と同径の凹みとしてクリック突起が嵌合し、この嵌合状態で蓋体が動かないようにしてもよい。
【符号の説明】
【０１０９】
１  飲料用容器
２  容器本体
２Ａ  開口端部（上部開口）
３  栓体
４  内筒
11  栓本体
12  蓋体
13  中栓本体
14  外観カバー
15  ヒンジ軸（ヒンジ）
16  ロック部材
23  雄螺子部（外螺子）
24  雌螺子部（内螺子）
25  飲み口
27  液通孔
35  栓本体側係合部
37  係合突条（係合部）
41  栓本体側係合受け部
55  外観カバー側係合部
61  外観カバー側係合部材
62  凹部
67  係合部
69  圧縮コイルスプリング（付勢手段）
81  蓋体ヒンジ部
82  栓本体ヒンジ部
83  栓本体側取付孔
84  蓋側取付孔
85  収納部
86  スライド部材
87  圧縮コイルスプリング（付勢手段）
88  スライド部材側回転防止部
89  収納部側回転防止部
90  突起
91  凹所（クリック受部）
100  ロック機構
101  栓本体係合部
103  下向き面（係止受部）
105  垂直壁（縦壁）
106  ロック部材用嵌合軸
107  ロック圧接係合部
107Ａ  外向き圧接受面（案内傾斜部）
108  当接部
111  アーム部
112  連結部
113  ロック圧接部
113Ａ  外向き圧接面（案内傾斜部）
115  ロック係合部
121  安全ストッパ
123  規制部
129  圧縮コイルスプリング（付勢手段）
133  爪部（係止部）
135  カバー部材
【要約】
【課題】ロック部材をコンパクト化し、誤操作による不具合を生じないロック機構を提供する。
【解決手段】蓋体12の垂直壁105，105に嵌合軸106を設け、垂直壁105の外面に嵌合軸106によりロック部材16を軸支する。ロック部材16は左右のアーム部111，111と連結部112とを有する。ロック部材16のアーム部111の内側にロック圧接部113を設けると共に、アーム部111の内側にロック圧接係合部107を設け、ロック部材16を反ヒンジ側に回動させるとロック圧接部113が前記ロック圧接係合部107に圧接することでロック部材16の上部が開くように弾性変形し、蓋体12を閉める時、ロック部材16が栓本体11に設けられた栓本体係合部と接触することでロック部材16が回動し、ロック部材16が栓本体係合部を乗り越えた後に復位することでロック部材16が栓本体に係止する。
【選択図】図１８【図１】
0005498613.tif 000002
【図２】
0005498613.tif 000003
【図３】
0005498613.tif 000004
【図４】
0005498613.tif 000005
【図５】
0005498613.tif 000006
【図６】
0005498613.tif 000007
【図７】
0005498613.tif 000008
【図８】
0005498613.tif 000009
【図９】
0005498613.tif 000010
【図１０】
0005498613.tif 000011
【図１１】
0005498613.tif 000012
【図１２】
0005498613.tif 000013
【図１３】
0005498613.tif 000014
【図１４】
0005498613.tif 000015
【図１５】
0005498613.tif 000016
【図１６】
0005498613.tif 000017
【図１７】
0005498613.tif 000018
【図１８】
0005498613.tif 000019
【図１９】
0005498613.tif 000020
【図２０】
0005498613.tif 000021
【図２１】
0005498613.tif 000022
【図２２】
0005498613.tif 000023
【図２３】
0005498613.tif 000024
【図２４】
0005498613.tif 000025
【図２５】
0005498613.tif 000026
【図２６】
0005498613.tif 000027
【図２７】
0005498613.tif 000028
【図２８】
0005498613.tif 000029
【図２９】
0005498613.tif 000030
【図３０】
0005498613.tif 000031